(57)【要約】【課題】靴のアッパー部に皺等の癖を簡単且つ迅速に付けること。【解決手段】アッパー部１２を中底１５に貼り付けた後で、アッパー部１２に癖２３を定着させ、その後、中底１５の外側に表底１４を貼り付けて靴１０が完成する。アッパー部１２に癖２３を付ける際には、靴用型３０が用いられる。この靴用型３０は、親指関節と足首関節に相当する部分に可動部４５が設けられており、この可動部４５は、複数の型形成体３２（３４〜３６）を相対回転可能に連結し、人間の足の動きに擬似して各型形成体３２を相対変位可させる。靴用型３０は、人間が歩行しているときにかかとが地面から最も離れた状態に近似する姿勢でアッパー部１２内に挿入されることで、当該アッパー部１２に癖２３が形成され、その状態で、当該アッパー部１２を水に含浸させることで前記癖２３が定着する。【選択図】　　　　　図３
2004105492.tif 000002
【特許請求の範囲】
【請求項１】
表底と、この表底に連なるアッパー部とを備えた靴を製造する方法であって、
前記アッパー部に所定の癖を定着させた後で、当該アッパー部に前記表底を貼り付けることを特徴とする靴の製造方法。
【請求項２】
表底及び中底を含む底部と、この底部に連なるアッパー部とを備えた靴を製造する方法であって、
前記アッパー部を中底に貼り付けた後で、前記アッパー部に所定の癖を定着させ、その後、前記中底の外側に表底を貼り付けることを特徴とする靴の製造方法。
【請求項３】
前記アッパー部の少なくとも所定部位は、皮革製であり、当該所定部位に前記癖を付けた状態で、前記所定部位に液体を含浸若しくは噴霧させることで、前記癖をアッパー部に定着させることを特徴とする請求項１又は２記載の靴の製造方法。
【請求項４】
前記癖は、歩行動作時におけるアッパー部の変形を促進する位置に形成されることを特徴とする請求項１、２又は３記載の靴の製造方法。
【請求項５】
底部と、この底部に連なるアッパー部とを備えた靴を製造する際に用いられる靴用型において、
前記アッパー部に所定の癖を形成する癖形成手段を備えたことを特徴とする靴用型。
【請求項６】
前記癖形成手段は、複数の型形成体を相対回転可能に連結する可動部により構成され、この可動部は、人間の足の動きに擬似して各型形成体を相対変位させることを特徴とする請求項５記載の靴用型。
【発明の詳細な説明】
【０００１】
【発明の属する技術分野】
本発明は靴の製造方法及び靴用型に係り、更に詳しくは、靴の製造時において、アッパー部の所定部分に皺等の癖を簡単に付けることのできる靴の製造方法及び靴用型に関する。
【０００２】
【従来の技術】
靴は、その底部を除く領域であるアッパー部に対し、型崩れ防止や足の保護等のための補強がなされている。このため、新品の靴が着用者の足の形や動きに馴染むまで時間がかかり、新品の靴は、着用者の足に靴ずれ等の痛みをもたらし易いという問題がある。特に、この問題は、アッパー部の全部若しくは一部が皮革製品である場合に一層顕著となる。
【０００３】
ところで、このような問題を解決するため、新品の靴に履き癖を付ける靴履き慣らし装置（特許文献１参照）が知られている。ここでの靴履き慣らし装置は、その一部である擬似足首に新品の靴を履かせ、シリンダーの駆動によって、人間が靴を履いて歩くときの足の動作を擬似して前記擬似足首を擬似路面上で動かすようになっている。
【０００４】
【特許文献１】
特開平６−２８４９０８号公報
【０００５】
【発明が解決しようとする課題】
しかしながら、前述した方法で新品の靴に履き癖を付けるには、靴履き慣らし装置という特殊な装置が必要となり、当該装置の導入に多大なコストがかかる等、新品の靴に履き癖を付ける作業を簡単に行うことができないという不都合がある。また、靴を製造した後に履き癖を付けるため、実際に人間が靴を履いて履き癖を付ける場合と同様に、靴に履き癖が付くまで時間がかかるという不都合もある。
【０００６】
また、近時においては、デザイン性の観点から、前記アッパー部の所望部位に皺等を故意に付ける要請もある。
【０００７】
【発明の目的】
本発明は、このような不都合及び要請に着目して案出されたものであり、その目的は、靴のアッパー部に皺等の癖を簡単且つ迅速に付けることができる靴の製造方法及び靴用型を提供することにある。
【０００８】
【課題を解決するための手段】
前記目的を達成するため、本発明に係る方法は、表底と、この表底に連なるアッパー部とを備えた靴を製造する方法であって、
前記アッパー部に所定の癖を定着させた後で、当該アッパー部に前記表底を貼り付ける、という手法を採っている。このような手法によれば、表底をアッパー部に貼り付ける前に、当該アッパー部に癖を定着させるため、アッパー部への癖の定着を阻害する要因の一つとなる表底の影響を受けず、より少ない力で、より早くアッパー部に癖を定着させることができ、アッパー部に表底を貼り付けた後で皺等の癖を付ける場合よりも、簡単且つ短時間で癖をアッパー部に付けることができる。
【０００９】
また、本発明は、表底及び中底を含む底部と、この底部に連なるアッパー部とを備えた靴を製造する方法であって、
前記アッパー部を中底に貼り付けた後で、前記アッパー部に所定の癖を定着させ、その後、前記中底の外側に表底を貼り付ける、という手法を採っている。このような手法によっても、前述した目的を達成することができ、特に、中底にアッパー部を貼り付けてから、当該アッパー部に癖が付けられるため、アッパー部の動きを靴完成時に近い状態で拘束しながら癖を付けることができ、当該癖付けを一層正確に行うことができる。
【００１０】
以上において、前記アッパー部の少なくとも所定部位は、皮革製であり、当該所定部位に前記癖を付けた状態で、前記所定部位に液体を含浸若しくは噴霧させることで、前記癖をアッパー部に定着させる、という手法を採ることが好ましい。このような手法により、大掛かりな装置等を用いることなく、前記癖をアッパー部に簡単に付けることができる。しかも、製造者が所望する部位に簡単に癖を付けることもでき、履き癖のような皺を付けることができる他、デザイン性を考慮した皺付けも簡単に行うことができる。
【００１１】
また、前記癖は、歩行動作時におけるアッパー部の変形を促進する位置に形成される、という手法を採ることができる。このようにすることで、靴を履き慣らしたときのような効果を新品の靴に与えることができ、新品にも拘らず歩き易い靴を簡単に提供することができる。
【００１２】
更に、前記目的を達成するため、本発明に係る靴用型は、底部と、この底部に連なるアッパー部とを備えた靴を製造する際に用いられる靴用型において、
前記アッパー部に所定の癖を形成する癖形成手段を備える、という構成を採っている。このような構成によれば、アッパー部に癖を形成する癖形成手段が靴用型に設けられているため、特別な装置を必要とすることなく簡単に癖付けを行うことができる他、当該癖付けを靴の製造過程で行うことができ、靴が完成してから癖を付ける場合に比べ、癖付けをより簡単且つ迅速に行うことができる。
【００１３】
ここにおいて、前記癖形成手段は、複数の型形成体を相対回転可能に連結する可動部により構成され、この可動部は、人間の足の動きに擬似して各型形成体を相対変位させる、という構成を採ることが好ましい。このように構成することで、新品の靴に対して履き癖のような癖を簡単に付けることができる。また、靴用型の一部が可動するため、当該靴用型を癖付け用に用いることができる他、当該靴用型を癖付け作業時に対して姿勢を変えることで、中底や表底等からなる底部をアッパー部に貼り付けるときに用いる型としても用いることができる。
【００１４】
なお、本明細書において「貼り付け」とは、特に明示しない限り、所定の部材同士を接着剤等で接合する動作の他に、所定の部材同士を糸等で縫合する動作をも含む概念として用いられる。
【００１５】
また、本明細書では、特に明示しない限り、「前」とは、靴や足のつま先側を意味する一方、「後」は、靴や足のかかと側を意味する。更に、「上」、「下」とは、特に明示しない限り、靴や足が地面に設置した状態を基準とする。また、「幅方向」は、特に明示しない限り、足や靴を上から見たときにおける左右方向となる足幅方向を意味し、「長さ方向」は、同前後となる足長方向を意味する。
【００１６】
【発明の実施の形態】
以下、本発明の実施の形態について図面を参照しながら説明する。
【００１７】
図１には、本実施例に係る靴用型により形成された靴の概略分解斜視図が示されている。この図において、靴１０は、底部１１と、この底部１１に連なるとともに、底部１１を除く部分を構成する皮革製のアッパー部１２とを備えて構成されている。
【００１８】
前記底部１１は、靴１０の最も底側に位置する表底（本底）１４と、当該表底１４の上方に積層される中底１５とを含んで構成されている。
【００１９】
前記アッパー部１２は、特に限定されるものではないが、前側に位置するつま先領域１７と、足の出し入れ口となる開口部１８と、この開口部１８の前端縁からつま先領域１７方向に延びるとともに、靴紐２０が付けられた紐領域２１とを備えている。つま先領域１７と紐領域２１との間には、靴１０の着用者が歩行動作をしたときに、当該歩行動作に伴うアッパー部１２の変形を促進する皺状の癖２３が予め形成されている。この癖２３は、略幅方向に延びる複数本の線状に設けられており、当該癖２３のない同一形状の靴を新品状態から実際に履いた場合に生じる履き癖に略相当するように形成されている。
【００２０】
ここで、癖２３は、図２に示される靴用型３０によって形成される。この靴用型３０は、所定サイズの人間の足に擬似した外形形状をなし、複数の型形成体３２同士を相対回転可能に連結することによって得られる。具体的に、型形成体３２は、人間のつま先部分に略相当する形状をなすつま先部３４と、人間の足首部分に略相当する形状をなす足首部３５と、これらつま先部３４と足首部３５との間に位置する中間部３６とからなる。
【００２１】
前記つま先部３４は、その後端側に櫛歯状をなす凹凸部３８が形成されている。この凹凸部３８は、図２（Ａ）に示されるように、その長さ方向略中央が、幅方向に延びる第１の仮想直線Ｌ１付近に位置している。この第１の仮想直線Ｌ１は、親指の付け根付近すなわち親指関節に相当する部分を通っている。
【００２２】
前記足首部３５は、その下端側に櫛歯状をなす凹凸部３９が形成されている。この凹凸部３９は、図２（Ａ）に示されるように、その上下方向略中央が、第１の仮想直線Ｌ１よりも同図中奥行側に位置して幅方向に延びる第２の仮想直線Ｌ２付近に位置している。この第２の仮想直線Ｌ２は、くるぶしに相当する部分を通っている。
【００２３】
前記中間部３６は、その前後両端側に、前記凹凸部３８，３９が相対回転可能に噛み合う形状に設けられた凹凸部４０，４１が形成されている。凹凸部３８，４０は、第１の仮想直線Ｌ１上に軸部分が配置されるリベット状のピン４３によって相対回転可能に連結されている。一方、凹凸部３９，４１は、第２の仮想直線Ｌ２上に軸部分が配置されるリベット状のピン４３によって相対回転可能に連結されている。このため、各凹凸部３８〜４１は、各型形成体３４〜３６を相対的に変位させて靴用型３０の姿勢を変化させる可動部４５を構成する。この可動部４５は、ピン４３，４４の設けられた位置により、親指関節と足首関節に相当する部分を中心として周囲を屈曲可能に設けられることになる。ここで、人間は、親指関節と足首関節とを複合的に動かしながら歩行することから、靴用型３０は、図２（Ａ）及び図３に示されるように、人間の足の動きに擬似させて姿勢を変えることが可能となる。このような姿勢変化が可能な靴用型３０を靴１０の製造時に用いることで、後述するように、前記癖２３の形成が可能となる。従って、可動部４５は、アッパー部１２に癖２３を形成する癖形成手段を構成することになる。
【００２４】
次に、前記靴１０の製造方法につき、以下に説明する
【００２５】
先ず、予め所定の形状に形成された底部１１及びアッパー部１２を用意する。そして、アッパー部１２を前記中底１５に貼り付ける中底付け工程が行われる。
【００２６】
この中底付け工程は、いわゆる公知のつり込み工程であり、先ず、図４（Ａ）に示されるように、公知の靴用型４９の底面（下面）に、中底１５を釘５０等で仮止めする。そして、同図（Ｂ）に示されるように、中底１５が止められた靴用型４９に、アッパー部１２を被せる。次いで、当該アッパー部１２の下端側を引っ張りながら、その下端部分で中底１５の側端部分を巻き込み、当該中底１５の底面の外周部分に貼り付けることで、同図（Ｃ）の状態とする。そして、釘５０を抜いて、中底１５から靴用型４９を分離し、当該靴用型４９のみをアッパー部１２から抜き出す。
【００２７】
その後、前記靴用型３０を用いてアッパー部１２に癖２３を付けて定着させる癖付け工程が行われる。すなわち、先ず、図５（Ａ）に示されるように、中底１５が貼り付けられたアッパー部１２の開口部１８から、その内部に靴用型３０を挿入する。このとき、靴用型３０は、可動部４５を可動させながらアッパー部１２内に挿入され、当該アッパー部１２内に完全に挿入された状態では、図３の姿勢とされる。すなわち、この挿入状態では、靴用型３０は、人間が歩行しているときにかかとが地面から最も離れた状態に略相当する姿勢とされる。そして、この姿勢の靴用型３０が挿入されているアッパー部１２は、図５（Ｂ）に示されるように、実際に人間が履いて歩行した場合と略同様の部位が伸縮し、つま先領域１７と紐領域２１との間等に皺状の癖２３が形成された状態となる。次いで、この状態のまま、アッパー部１２及び中底１５を水槽Ｃ内の水Ｗに含浸させる。なお、水槽Ｃを用いて水Ｗをアッパー部１２に含浸させる前述の方法の他に、癖２３が形成された部分に水Ｗを噴霧することにより、癖２３を定着させることも可能である。また、ここでは水を用いたが、アッパー部１２が変性しない限りにおいて、他の液体を使用することもできる。
そして、一定時間経過後、水槽Ｃ内からアッパー部１２を含む全体が取り出された後、アッパー部１２や中底１５に付着した水分を乾燥させ、可動部４５を動かしながら靴用型３０をアッパー部１２内から抜き出す。このように靴用型３０が抜き出された後のアッパー部１２には、靴用型３０を入れたときに作られた癖２３がそのまま残され、当該癖２３が定着した状態となる。なお、靴用型３０の表面若しくは内部に、電気コイル等に例示される所定の発熱体を設け、当該発熱体でアッパー部１２等に付着した水分の乾燥を促進させるようにしてもよい。
【００２８】
前記癖付け工程を経た後、アッパー部１２に一体化された中底１５の外側に表底１４を貼り付ける表底付け工程が行われる。この表底付け工程では、図６に示されるように、癖２３が定着したアッパー部１２内に、前記中底付け工程で用いられた靴用型４５が再び挿入され、中底１５を平坦にする方向に伸ばしながら、当該中底１５の外側に表底１４を貼り付けることで、靴１０が完成する。
【００２９】
従って、このような実施形態によれば、表底１４を貼り付ける前に、アッパー部１２に履き癖に近似した癖２３が形成されるため、靴製造後に履き癖を形成するよりも、癖２３を簡単且つ短時間で形成することができるという効果を得る。
【００３０】
また、従来の靴履き慣らし装置のような大掛かりな装置を必要とせずに、簡単な構造の靴用型３０を別途用意するだけで、簡単な工程でアッパー部１２に癖２３を付けることができる。
【００３１】
更に、靴用型３０に可動部４５が設けられているため、靴用型３０がアッパー部１２内に挿脱し易くなる他、靴用型３０をアッパー部１２内に挿入したときに、靴用型３０の姿勢を変えることができ、当該姿勢の調整等を簡単に行うことができる。
【００３２】
なお、前記可動部４５の構造としては、前述した構造に限定されるものではなく、各型形成体３４〜３６を、人間の足の動きに擬似して相対変位できる限りにおいて、種々の連結構造及び／又は連結部位の形状を採用することができる。
【００３３】
また、前記実施例にあっては、履き癖に相当する癖２３を形成可能な靴用型３０を採用したが、本発明はこれに限らず、デザイン上、アッパー部１２の所望の場所に皺等の癖を付けたい場合に、前記場所に相当する部分が可動する靴用型を採用することもできる。
【００３４】
更に、前記靴用型３０としては、アッパー部１２に所定の癖を付けることができる限りにおいて、前記図示例の可動タイプに限定されるものではなく、足首部３５のない一箇所可動タイプとしたり、可動部４５を全く設けずに、人間がつま先立ちしているときのような足の形状に近似する形状の固定タイプとすることもできる。当該固定タイプの場合、親指関節に相当する部分やくるぶしに相当する部分が前記癖形成手段を構成することになる。
【００３５】
また、前記癖付け工程では、アッパー部１２を水槽Ｃ内の水Ｗに含浸させずに、アッパー部１２内に靴用型３０を入れ、図２（Ａ）に示される姿勢、つまり、足裏の略全域が接地した状態に相当する姿勢と、図３に示される姿勢との間で交互に繰り返し変位させ、アッパー部１２に癖２３を定着させるようにしてもよい。但し、前記実施例の方が、癖２３をアッパー部１２に早く定着させることができる。
【００３６】
更に、前述した靴の製造工程にあっては、表底１４及び中底１５に対してアッパー部１２を貼り付ける際に、癖付け用の靴用型３０とは異なる公知の靴用型４９が用いられているが、ここにおいても前記靴用型３０を用いることもできる。すなわち、前記靴用型３０に可動部４５が設けられていることを利用して、靴用型３０をアッパー部１２内で図２（Ａ）の姿勢とし、このときに表底１４及び中底１５に対してアッパー部１２を貼りつけることも可能である。このようにすると、靴用型３０，４９の交換作業が不要となり、癖２３の付いた靴１０を一層迅速に製造することが可能になる。
【００３７】
また、前述した靴の製造方法は、中底１５にアッパー部１２を貼り付けた後で、当該アッパー部１２に癖２３を定着させているが、本発明は、要するに、表底１４をアッパー部１２に貼り付ける前に、当該アッパー部１２に癖２３を定着させることができる限りにおいて種々の手法を採ることができる。
【００３８】
なお、前記実施例では、アッパー部１２の全部が皮革製となる靴１０に対して本発明を適用したが、本発明は、これに限定されるものではなく、癖２３が付く部分のみを皮革製とした靴、若しくは、アッパー部を他の素材で形成した靴等に対して本発明を適用することも可能である。
【００３９】
【発明の効果】
以上説明したように、本発明に係る靴の製造方法によれば、特殊な装置を用いなくても靴の製造工程中に、皺等の癖を靴のアッパー部に簡単且つ短時間で付けることができる。
【００４０】
また、本発明に係る靴用型によれば、靴のアッパー部に皺等の癖を簡単且つ迅速に付けることに寄与することができる。
【図面の簡単な説明】
【図１】本実施例の方法によって製造された靴の分解斜視図である。
【図２】（Ａ）は、本実施例に係る靴用型の概略斜視図であり、（Ｂ）は、（Ａ）の分解斜視図である。
【図３】図２（Ａ）の状態から姿勢を変えた状態を示す靴用型の概略斜視図である。
【図４】（Ａ）は、公知の靴用型に中底を固定する工程を説明するための斜視図であり、（Ｂ）は、その後にアッパー部を被せる工程を説明するための斜視図であり、（Ｃ）は、アッパー部に中底が固定された直後の状態を示す斜視図である。
【図５】（Ａ）は、本実施例に係る靴用型をアッパー部に挿入する状態を示す斜視図であり、（Ｂ）は、本実施例に係る靴用型が挿入されたアッパー部を水槽に入れる状態を示す図である。
【図６】表底付け工程を説明するための分解斜視図である。
【符号の説明】
１０　靴
１１　底部
１２　アッパー部
１４　表底
１５　中底
２３　癖
３０　靴用型
３２　型形成体
４５　可動部（癖形成手段）
Ｗ　水（液体）
【図１】
2004105492.tif 000003
【図２】
2004105492.tif 000004
【図３】
2004105492.tif 000005
【図４】
2004105492.tif 000006
【図５】
2004105492.tif 000007
【図６】
2004105492.tif 000008